(57)【特許請求の範囲】
【請求項１】
フレームと、前記フレームに形成された収容室内に収容され、且つ、端子金具を収容するための複数のキャビティが前後方向に延びて形成されると共に幅方向及び上下方向に並んで形成されてなるサブコネクタハウジングと、前記キャビティ内に挿入された前記端子金具を弾性的に係止するランスと、前記サブコネクタハウジングの外面から前記各キャビティへ連通するような深さをもって開設されたリテーナ収容部内へ押し込まれ、前記端子金具に係止することで前記ランスと共に前記端子金具を二重に抜け止めするリテーナとを備えてなり、
前記サブコネクタハウジングにおける外形の最大幅寸法内に、前記フレームと前記サブコネクタハウジングとをロックするためのフレームロック部を配してなる分割コネクタであって、
上下方向に複数段に並ぶ前記キャビティのうち最上段あるいは最下段のキャビティ列は、そのうちの幅方向両最外端に位置するキャビティが排されて他の段のキャビティ数よりも少なくなっているとともに、
前記サブコネクタハウジングにおける、前記キャビティが設けられていない段はキャビティが設けられないことに伴って幅狭に形成され、かつこのキャビティが設けられていない部分の幅方向両外側壁の前部には前記フレームロック部が形成されており、前記フレームの前記収容室には前記サブコネクタハウジングが収容された状態で前記フレームロック部と対応する位置にフレームロック受け部が形成されており、
前記サブコネクタハウジングにおける、前記キャビティが設けられていない段の側の上面あるいは下面の後部には、前記各キャビティに連通するリテーナ収容部が開口して形成されかつ前記サブコネクタハウジングにおける、前記キャビティが設けられていない段の幅方向両外側壁の後部には、前記リテーナ収容部の幅方向外側の両側壁を形成する延設壁が前後方向に延びて形成され、かつこの両延設壁には、前記サブコネクタハウジングと前記リテーナとをロックするためのリテーナロック部が形成されており、前記リテーナには前記サブコネクタハウジングに押し込まれた状態で前記リテーナロック部と対応する位置にリテーナロック受け部が形成されていることを特徴とする分割コネクタ。
【請求項２】
前記リテーナは、前記サブコネクタハウジングに対して、前記端子金具が前記キャビティに挿抜可能な仮係止位置と、前記端子金具に係止して前記端子金具の抜け止めを行う本係止位置との間を移動可能となっており、
前記リテーナの後端部には、前記リテーナを前記サブコネクタハウジングに対して本係止位置に保持するための本係止リテーナロック受け部が形成されており、前記サブコネクタハウジングの対応する位置には本係止リテーナロック部が形成されており、
前記リテーナの前端部には、前記リテーナの前端縁が前記サブコネクタハウジングから離間する方向に浮き上がることを防止する浮き上がり防止部が形成されており、前記サブコネクタハウジングには前記浮き上がり防止部と対応する位置に浮き上がり防止受け部が形成されていることを特徴とする請求項１記載の分割コネクタ。
【発明の詳細な説明】
【技術分野】
【０００１】
本発明は、分割コネクタに関する。
【背景技術】
【０００２】
従来より分割コネクタとしては特許文献１に記載のものが知られている。このものは、フレームに形成された収容室内にサブコネクタハウジングが収容されてなる。サブコネクタハウジングには、フレームとサブコネクタハウジングとをロックするためのフレームロック部が設けられており、フレームの収容室にはフレームロック受け部が設けられている。また、サブコネクタハウジングには、端子金具を挿入可能な複数のキャビティが設けられており、このキャビティ内に撓み変形可能に設けられたランスが端子金具に係止することで、端子金具が抜け止め状態で保持される。
【０００３】
上記の分割コネクタにおいては、例えばサブコネクタハウジングの外面から各キャビティに連通するような深さをもってリテーナ収容部を設け、このリテーナ収容部内にリテーナが押し込んで、このリテーナを端子金具に係止することで端子金具を二重に抜け止めする構成となっているものがある。このものにおいては、サブコネクタハウジングには、リテーナとサブコネクタハウジングとをロックするリテーナロック部が設けられており、リテーナにはリテーナロック受け部が設けられている。
【特許文献１】特開平０８−１０６９４９号公報
【発明の開示】
【発明が解決しようとする課題】
【０００４】
上記の構成に係るものにおいて、例えばフレームロック部がサブコネクタハウジングの幅方向外方に突設される構成となっている場合には、サブコネクタハウジングが大型化し、全体として分割コネクタが幅方向に大型化するという問題点がある。そこで、フレームロック部をサブコネクタハウジングにおける外形の最大幅寸法内に配する構成とすることが考えられる。
【０００５】
しかしながら、サブコネクタハウジングの内部には端子金具を収容するためのキャビティが形成されているから、キャビティを避けつつフレームロック部をサブコネクタハウジングの最大幅寸法内に形成することは相当の工夫を要する。更に、サブコネクタハウジングがリテーナを備える構成である場合、サブコネクタハウジングにさらにリテーナロック部を設けるためには、キャビティを避けると共にフレームロック部をも避けなければならず、その上で、サブコネクタハウジングの最大幅寸法内にリテーナロック部を形成することは極めて難しい。
【０００６】
本発明は上記のような事情に基づいて完成されたものであって、幅方向に小型化された分割コネクタを提供することを目的とする。
【課題を解決するための手段】
【０００７】
上記の目的を達成するための手段として、請求項１の発明は、フレームと、前記フレームに形成された収容室内に収容され、且つ、端子金具を収容するための複数のキャビティが前後方向に延びて形成されると共に幅方向及び上下方向に並んで形成されてなるサブコネクタハウジングと、前記キャビティ内に挿入された前記端子金具を弾性的に係止するランスと、前記サブコネクタハウジングの外面から前記各キャビティへ連通するような深さをもって開設されたリテーナ収容部内へ押し込まれ、前記端子金具に係止することで前記ランスと共に前記端子金具を二重に抜け止めするリテーナとを備えてなり、
前記サブコネクタハウジングにおける外形の最大幅寸法内に、前記フレームと前記サブコネクタハウジングとをロックするためのフレームロック部を配してなる分割コネクタであって、
上下方向に複数段に並ぶ前記キャビティのうち最上段あるいは最下段のキャビティ列は、そのうちの幅方向両最外端に位置するキャビティが排されて他の段のキャビティ数よりも少なくなっているとともに、前記サブコネクタハウジングにおける、前記キャビティが設けられていない段はキャビティが設けられないことに伴って幅狭に形成され、かつこのキャビティが設けられていない部分の幅方向両外側壁の前部には前記フレームロック部が形成されており、前記フレームの前記収容室には前記サブコネクタハウジングが収容された状態で前記フレームロック部と対応する位置にフレームロック受け部が形成されており、前記サブコネクタハウジングにおける、前記キャビティが設けられていない段の側の上面あるいは下面の後部には、前記各キャビティに連通するリテーナ収容部が開口して形成されかつ前記サブコネクタハウジングにおける、前記キャビティが設けられていない段の幅方向両外側壁の後部には、前記リテーナ収容部の幅方向外側の両側壁を形成する延設壁が前後方向に延びて形成され、かつこの両延設壁には、前記サブコネクタハウジングと前記リテーナとをロックするためのリテーナロック部が形成されており、前記リテーナには前記サブコネクタハウジングに押し込まれた状態で前記リテーナロック部と対応する位置にリテーナロック受け部が形成されていることを特徴とする。
【０００８】
請求項２の発明は、請求項１に記載のものにおいて、前記リテーナは、前記サブコネクタハウジングに対して、前記端子金具が前記キャビティに挿抜可能な仮係止位置と、前記端子金具に係止して前記端子金具の抜け止めを行う本係止位置との間を移動可能となっており、前記リテーナの後端部には、前記リテーナを前記サブコネクタハウジングに対して本係止位置に保持するための本係止リテーナロック受け部が形成されており、前記サブコネクタハウジングの対応する位置には本係止リテーナロック部が形成されており、前記リテーナの前端部には、前記リテーナの前端縁が前記サブコネクタハウジングから離間する方向に浮き上がることを防止する浮き上がり防止部が形成されており、前記サブコネクタハウジングには前記浮き上がり防止部と対応する位置に浮き上がり防止受け部が形成されていることを特徴とする。
【発明の効果】
【００１０】
＜請求項１の発明＞
請求項１の発明によれば、サブコネクタハウジングに上下方向に複数段並んで形成されたキャビティのうちいずれかの段のキャビティ列は、他の段のキャビティ列に比べてキャビティが少なく形成されている。これによりサブコネクタハウジングにはキャビティの設けられていない部分が形成される。この部分は、サブコネクタハウジングにおける最大幅寸法内に形成されると共に、キャビティと同様に前後方向に延びて形成されている。このキャビティが設けられていない部分にフレームロック部を設けることで、キャビティを避けた状態で、サブコネクタハウジングの最大幅寸法内に容易にフレームロック部を設けることができる。また、上述したようにキャビティが設けられてない部分は前後方向に延びて形成されているから、キャビティの設けられていない部分のうちフレームロック部の前方又は後方にリテーナロック部を設けることで、キャビティ及びフレームロック部を避けてリテーナロック部をサブコネクタハウジングの最大幅寸法内に配することができる。
また、キャビティを設けない部分のうちフレームロック部の後方に形成した延設壁を利用して、リテーナロック部を形成することができる。
【００１２】
＜請求項２の発明＞
リテーナとリテーナ収容部との間には、リテーナの押し込みを円滑に行うために所定のクリアランスが設定されている。このため、リテーナは、リテーナ収容部内で、全体として傾いた姿勢で装着されることが許容されている。この結果、本係止リテーナロック受け部がリテーナの後端部にのみ形成されている場合には、リテーナの前端縁がサブコネクタハウジングから離間する方向に浮き上がることが懸念される。すると、リテーナが端子金具と係止するための係り代が減少してしまうため、端子保持力が低下することが懸念される。
【００１３】
上記の点に鑑み、請求項２の発明では、リテーナの前端部に浮き上がり防止部を設け、サブコネクタハウジングに浮き上がり防止受け部を設ける構成としたから、リテーナの前端部がサブコネクタハウジングから離間する方向に浮き上がることを防止できる。これにより、リテーナの端子保持力の低下を防止できる。
【発明を実施するための最良の形態】
【００１４】
本発明の一実施形態を図１ないし図１０を参照して説明する。本実施形態に係る分割コネクタは、フレーム１１に形成された収容室１２内にサブコネクタハウジング１３を収容してなる。以下の説明においては、図１における左右方向を幅方向とし、上下方向を上下方向とし、紙面を貫通する方向を前後方向として説明する。
【００１５】
図９に示すように、フレーム１１は合成樹脂製であり、このフレーム１１には前後方向（図９における上下方向）に貫通する収容室１２が形成されている。収容室１２の左右両側壁の内側面の前端寄り（図９における下方）の位置には、前方（図９における下方）に片持ち状に突出する一対のフレームロック受け部１４が形成されている。このフレームロック受け部１４は、後述するサブコネクタハウジング１３のフレームロック部１５と係合することで、サブコネクタハウジング１３を収容室１２内に保持するようになっている（図１０参照）。
【００１６】
サブコネクタハウジング１３は合成樹脂製であって、大まかにはブロック状をなしている。サブコネクタハウジング１３には前後方向に貫通する複数のキャビティ１６が幅方向（図１における左右方向）に並ぶと共に、上下方向（図１における上下方向）に並んで形成されている（本実施形態では上下２段）。図４に示すように各キャビティ１６の底壁からは前方（図４における左方）に突出して片持ち状のランス１７が形成されている。キャビティ１６内には、電線１８の端末に配された端子金具１９が収容されるようになっており、端子金具１９がキャビティ１６内の正規位置に収容されると、ランス１７が端子金具１９に弾性的に係止することで抜け止めされるようになっている。端子金具１９は、電線１８に圧着されるバレル部２０と、バレル部２０の前方に形成された接続筒部２１とを備えてなる。この接続筒部２１内に、図示しない相手側端子金具が挿入されることで、相手側端子金具と端子金具１９とが電気的に接続されるようになっている。接続筒部２１の底壁の外側面には、下方に垂下してスタビライザ２２が形成されている。このスタビライザ２２は各キャビティ１６の下面において片側のコーナー部に沿って凹み形成された逃がし溝２３を前進可能であり、端子金具１９が上下逆向きに挿入されたときにはスタビライザ２２と逃がし溝２３とが不適合となることによって、逆挿入の事態を防止している。図８に示すように、接続筒部２１の底壁には、端子金具１９がキャビティ１６内の正規位置に挿入されたときにランス１７が係止するためのランス孔２４が形成されている。また、接続筒部２１の後端縁は上下方向に切り立って形成されて後述するリテーナ２５の抜け止め部２６と係止可能となっており、リテーナ係止部２７とされる。
【００１７】
図１及び図２に示すように、上段側のキャビティ１６列は、下段側のキャビティ１６列よりも少なく形成されており、幅方向（図１における左右方向）最外端のキャビティ１６の分だけ、下段側のキャビティ１６列よりも幅狭になっている。このように、上段側のキャビティ１６列にはキャビティ１６が設けられていない部分が、幅方向の両最外端部分に形成されており、このキャビティ１６が設けられてない部分は、サブコネクタハウジング１３における外形の最大幅寸法内に形成されると共に、キャビティ１６と同様に前後方向（図２における上下方向）に延びて形成されている。
【００１８】
キャビティ１６が設けられていない部分の幅方向両外側壁の前端部には、幅方向外方に突出すると共に上下２段に並んでフレームロック部１５が形成されており、フレーム１１の収容室１２に形成されたフレームロック受け部１４と係合することでフレーム１１とサブコネクタハウジング１３とをロックするようになっている。フレームロック部１５の前端部には前方に向かうに従って幅狭になるテーパ面２８が形成されており、フレームロック受け部１４がフレームロック部１５に乗り上がりやすくなっている。また、フレームロック部１５の後端部は切り立って形成されている。このフレームロック部１５の後端部に上述したフレームロック受け部１４が後方から当接することで、サブコネクタハウジング１３が後方に変位することが規制されるようになっている。
【００１９】
図１及び図２に示すように、キャビティ１６が設けられていない部分の後部側には、幅方向両外端部に、前後方向に延びる延設壁２９が上下方向に立設されている。この延設壁２９の外側面は、下段のキャビティ１６列の幅方向両外側壁の外側面と面一に形成されており、延設壁２９の上面はサブコネクタハウジング１３の上面と略面一に形成されている。また、延設壁２９は拡開変形可能に形成されている。
【００２０】
サブコネクタハウジング１３の上面の後部側には、上下に並ぶ各キャビティ１６列に連通するような深さをもってリテーナ収容部３０が上方に開口して開設されており、このリテーナ収容部３０内にリテーナ２５が収容されるようになっている。このリテーナ収容部３０により上下の各キャビティ１６は前後に分断されることになる。リテーナ２５は、後に詳述するが、端子金具１９をキャビティ１６に挿抜可能な仮係止位置（図６に示す状態）と、端子金具１９に係止して端子金具１９の抜け止めを行う本係止位置（図８に示す状態）との間を移動可能になっている。
【００２１】
リテーナ収容部３０の開口は上方から見て略矩形状をなしており、幅方向外側の両側壁は、上述した延設壁２９により形成されている。図４に示すように、サブコネクタハウジング１３の内部においてリテーナ収容部３０によって切り欠かれた部分では、前面側（図４における左方）は各キャビティ１６の開口縁が全て鉛直に切り立つように形成されており、一方、後面側（図４における右方）は各キャビティ１６の開口縁が前方に向かって下り勾配となるような傾斜をもって形成されている。
【００２２】
サブコネクタハウジング１３の幅方向両延設壁２９には、誘導溝３１（本発明に係るリテーナロック部及び本係止リテーナロック部に該当）が幅方向に貫通して形成されている。誘導溝３１は、サブコネクタハウジング１３の各キャビティ１６の後面側の開口縁の傾斜と同一勾配をもって形成されている。この誘導溝３１内に後述するリテーナ２５の係止突起３２が嵌め入れられるようになっており、この係止突起３２が誘導溝３１内を変位することで、リテーナ２５の斜め方向への変位を誘導するようになっている。
【００２３】
サブコネクタハウジング１３の上面のうちリテーナ収容部３０の後端側の開口縁には、本係止位置においてリテーナ２５の後端部が上方に変位するのを防止するためのリテーナ押さえ部３３が形成されている。このリテーナ押さえ部３３は、上段のキャビティ１６列に幅方向最外端のキャビティ１６に対応する位置と、この最外端のキャビティ１６から幅方向内方に向かってキャビティ１６一つおきに形成されており、中央位置の２つのキャビティ１６に対応する位置には設けられていない。このリテーナ押さえ部３３は、サブコネクタハウジング１３の上面の後端縁からやや前方において、下方に引っ込んで形成された段差部３４と、この段差部３４の前端縁に形成された、前方に向かって下がり勾配になるテーパ面３５とからなる。この段差部３４の先端縁が、後述するリテーナ２５のリテーナ押さえ受け部３６と係止するようになっている。
【００２４】
サブコネクタハウジング１３に形成されたリテーナ収容部３０の前面側の開口縁には、上方からやや下がった位置に、前後方向に貫通する浮き上がり防止受け部３７が形成されている。図１に示すように、この浮き上がり防止受け部３７は、幅方向に並んで図示４つ形成されている。この浮き上がり防止受け部３７の後端部には、リテーナ２５が本係止位置にある状態において、後述するリテーナ２５の浮き上がり防止部３８が係合することで、リテーナ２５が上方に変位してサブコネクタハウジング１３から離間する方向に浮き上がることを防止するようになっている。
【００２５】
次にリテーナ２５について説明する。リテーナ２５は合成樹脂製であって、幅方向に細長い形状をなしている。リテーナ２５には前後方向（図４における左右方向）に貫通する端子挿通孔３９が上段側のキャビティ１６と同じ個数形成されており、端子金具１９を挿通可能になっている。各端子挿通孔３９はサブコネクタハウジング１３の上段側のキャビティ１６と整合可能に形成されると共に、各端子挿通孔３９の前面側の開口縁はリテーナ収容部３０によって前後に分断された各キャビティ１６の前面側（図４における左方）の開口縁と適合するように、鉛直に切り立つように形成されており、各端子挿通孔３９の後面側の開口縁は分断されたキャビティ１６の後面側（図４における右方）の開口縁の傾斜と適合するような傾斜をもって形成されている。また、各端子挿通孔３９における上面の前端縁には、下方に垂下する抜け止め部２６が形成されている。また、リテーナ２５の下面における前端縁には、サブコネクタハウジング１３の下段側の各キャビティ１６に対応する位置に、下方に垂下する抜け止め部２６が形成されている。各抜け止め部２６は、リテーナ２５が仮係止位置にあるときには、対応する各キャビティ１６の上面と略同じ高さとなるようにしてあり、端子金具１９の挿抜を可能にしている。また、リテーナ２５が本係止位置にあるときには、端子金具１９のリテーナ係止部２７に後方から当接することで端子金具１９をランス１７と共に二重係止可能となっている。
【００２６】
リテーナ２５は、リテーナ収容部３０内に収容可能な大きさに形成されており、リテーナ２５の上面は、リテーナ２５が本係止位置にある時にはリテーナ収容部３０の開口面を塞ぐ大きさに形成されている。リテーナ２５の上面には、幅方向（図２における左右方向）両側端部と後端部（図２における上方）を除く領域が下方（図２における紙面を貫通する方向奥側）に引っ込んだ凹部４０が形成されており、この凹部４０の上面は、後に詳述する浮き上がり防止部３８の上面と面一に形成されている。
【００２７】
リテーナ２５の幅方向両側壁の外側面の後端部寄りの位置には、幅方向に突出すると共に、リテーナ２５の後面側の傾斜面に沿うようなリブ状の係止突起３２が形成されている。この係止突起３２の主たる役割としては、リテーナ２５をサブコネクタハウジング１３に押し込んで装着する際に、押し込み姿勢を安定させることにある。また、係止突起３２の外面は、その長さ方向の中心線を境にして片側（リテーナ収容部３０寄りの側）は、全面に面取り４１が施されており、リテーナ２５の誘導溝３１に対する嵌め入れ動作を円滑に行うことができるようにしている。さらに、係止突起３２の上下両面はそれぞれ水平面４２が形成され、かつ下側の端面は水平面４２に連続する鉛直面４３も形成されている。図７に示すように、リテーナ２５が本係止位置にあるときには、係止突起３２の下側の水平面４２がサブコネクタハウジング１３の誘導溝３１の下面に上方から当接することで、リテーナ２５が下方に変位するのを規制するようになっている。また、係止突起３２の鉛直面４３が誘導溝３１の前面の下端部と後方から当接することで、リテーナ２５が前方に変位するのを規制するようになっている。
【００２８】
また、係止突起３２の上方の延長線上であって、リテーナ２５の側壁の後端部には、幅方向外方に突出して本係止リテーナロック受け部４４（本発明に係るリテーナロック受け部に該当）が形成されている。図５に示すように、この本係止リテーナロック受け部４４は、リテーナ２５が仮係止位置にあるとき、サブコネクタハウジング１３の上面に上方から係止することで、リテーナ２５が誤って本係止位置にまで押し込まれないようにすると共に、図７に示すように、リテーナ２５が本係止位置にあるとき、誘導溝３１の上端に下方から係止することで、リテーナ２５が上方に変位することを規制するようになっている。
【００２９】
リテーナ２５の後縁部には、サブコネクタハウジング１３に形成されたリテーナ押さえ部３３に対応する位置に、リテーナ押さえ受け部３６が形成されている。リテーナ押さえ受け部３６は、リテーナ２５の後面側の傾斜面から後方に突出するように形成されている。図６に示すように、リテーナ２５が仮係止位置にあるときには、リテーナ押さえ受け部３６の下面が、サブコネクタハウジング１３の段差部３４の上面に上方から当接することで、リテーナ２５が誤って本係止位置に変位しないように規制している。そして、図８に示すように、リテーナ２５が本係止位置にあるときには、リテーナ押さえ受け部３６の上面がリテーナ押さえ部３３の下面と下方から当接することで、リテーナ２５が上方に変位することを規制するようになっている。
【００３０】
図１及び図２に示すように、リテーナ２５の前縁部には、サブコネクタハウジング１３に形成された浮き上がり防止受け部３７に対応する位置に、図示４つの浮き上がり防止部３８が前方に突設されている。浮き上がり防止部３８の上面は略水平に形成されており、リテーナ２５が本係止位置にあるときに、サブコネクタハウジング１３の浮き上がり防止受け部３７の上面に下方から当接することで、リテーナ２５の前縁部がサブコネクタハウジング１３から離間する方向に浮き上がることを規制するようになっている。これにより、リテーナ２５の前縁部に形成された抜け止め部２６が上方に変位し、端子金具１９のリテーナ係止部２７との係り代が減少することを防止可能となっている。
【００３１】
図３に示すようにリテーナ２５とサブコネクタハウジング１３とが離間した状態から、図５に示すようにリテーナ２５がサブコネクタハウジング１３に対して仮係止位置に保持された状態に変位する際には、リテーナ２５をリテーナ収容部３０内に上方から挿入し、係止突起３２の下端部が延設壁２９の上面と上方から当接するようになる。すると、延設壁２９は拡開変形し、係止突起３２に乗り上げる。さらにリテーナ２５が押し下げられて係止突起３２の上端が誘導溝３１の上端よりも下方に位置するようになると、延設壁２９は復帰変形し、誘導溝３１内に係止突起３２が収容され、リテーナ２５が仮係止位置に保持されるようになっている。
【００３２】
さらに、リテーナ２５が仮係止位置から、図５に示すようにリテーナ２５がサブコネクタハウジング１３に対して本係止位置に保持された状態に変位する際には、本係止リテーナロック受け部４４の幅方向外方に延設壁２９が乗り上げてゆくことになる。この間に延設壁２９は拡開変形するが、本係止リテーナロック受け部４４に比較して係止突起３２は突出量が大きく（図２参照）、延設壁２９の拡開変形によっても誘導溝３１との係止状態が継続するように十分な高さの係止代が設定されている。延設壁２９が本係止リテーナロック受け部４４を乗り越えることで、リテーナ２５は本係止位置に保持されるようになっている。
【００３３】
続いて、本実施形態の作用、効果について説明する。リテーナ２５は、まず、サブコネクタハウジング１３に対して仮係止位置で一体化された状態でコネクタ同士の接続現場に搬入される。リテーナ２５を仮係止状態で装着する際には、リテーナ２５の係止突起３２をサブコネクタハウジング１３の延設壁２９内に押し込むことで延設壁２９を拡開変形させながらリテーナ２５をリテーナ収容部３０内に押し込み、誘導溝３１内に係止突起３２を嵌め入れる。すると、本係止リテーナロック受け部４４の下面と延設壁２９の上面とが当接すると共に、リテーナ押さえ受け部３６の下面とリテーナ押さえ受け部３６の上面とが当接することで、リテーナ２５が仮係止位置に位置決めされた状態となり、不用意に本係止位置に移動してしまうことが規制される。
【００３４】
さらに、この仮係止状態では、リテーナ２５の各端子挿通孔３９の抜け止め部２６及びリテーナ２５の下面に形成された抜け止め部２６の下面は共に、サブコネクタハウジング１３における上下の段の各キャビティ１６の上面と略面一にであるため、各キャビティ１６に対し後方から端子金具１９を挿入すると、端子金具１９はリテーナ２５を通過し、更にはランス１７を通過する。ランス１７は接続筒部２１に押圧されて下方に撓み変形し、ランス孔２４がランス１７の上方に到達すると復帰変形し、ランス孔２４の前縁部に後方から当接することで端子金具１９の抜け止めをする。こうして全てのキャビティ１６に対して端子金具１９の挿入を行う。
【００３５】
その後、リテーナ２５の上面を下方に押圧して、押し込み操作を行う。すると、延設壁２９の上端縁が本係止リテーナロック受け部４４を乗り上げるべく変形し、リテーナ２５は係止突起３２と誘導溝３１との嵌め合いによる案内作用を受け、斜め下前方へと押し込まれる。この際に、係止突起３２は所定の長さをもって誘導溝３１と摺接し合うため、リテーナ２５の押し込み姿勢は安定したものとなる。
【００３６】
そして、リテーナ２５が本係止位置に至ると、サブコネクタハウジング１３の内部では、各端子挿通孔３９の抜け止め部２６が上段側のキャビティ１６に挿入された端子金具１９のリテーナ係止部２７と係止し、一方、リテーナ２５の下面に形成された抜け止め部２６は下段側のキャビティ１６に挿入された端子金具１９のリテーナ係止部２７と係止することで、端子金具１９をランス１７と共に二重に抜け止めする。一方、リテーナ２５が本係止位置にある状態では、延設壁２９が本係止リテーナロック受け部４４を乗り越えることで、本係止リテーナロック受け部４４は誘導溝３１内に嵌め入れられ、本係止リテーナロック受け部４４の上面と、誘導溝３１の上端とが係止し、また、リテーナ押さえ受け部３６がリテーナ押さえ部３３を乗り越えることで、リテーナ押さえ受け部３６の上面とリテーナ押さえ部３３の下面とが係止することで、リテーナ２５が上方に変位することが規制される
【００３７】
さらに、リテーナ２５の浮き上がり防止部３８の上面がサブコネクタハウジング１３の浮き上がり防止受け部３７内に嵌りこみ、浮き上がり防止部３８の上面が浮き上がり防止受け部３７の上面と係止することで、リテーナ２５の前縁部が上方に浮き上がることが規制される。これにより、リテーナ２５の抜け止め部２６が上方に変位し、端子金具１９のリテーナ係止部２７との係り代が減少することを防止可能となり、リテーナ２５の端子保持力の低下を防止できる。
【００３８】
なお、リテーナ２５が本係止状態になると、リテーナ収容部３０の上面側の開口をリテーナ２５がほぼ隙間なく塞ぐようになっており、こみ等がキャビティ１６内に侵入するのを防止できる。
【００３９】
ところで、端子金具１９の挿入深さが不足してランス１７に対し未係止の状態にあるような場合でも、リテーナ２５が斜め下前方に挿入される過程で端子金具１９のリテーナ係止部２７をリテーナ２５の抜け止め部２６が前方に押すため、半挿入状態にあった端子金具１９を正規位置にまで自動的に矯正することができる。なお、端子金具１９の挿入位置が上記した半挿入の状態よりもさらに浅い場合には、リテーナ２５を押し込もうとしても、リテーナ２５が端子金具１９の接続筒部２１の上面と干渉してしまい、これ以上の押し込みができない。これにより、作業者は端子金具１９が正規挿入深さからは遠い位置にあることを知ることができる。
【００４０】
端子金具１９が正規位置に挿入されると共に、リテーナ２５が本係止位置に保持された状態のサブコネクタハウジング１３を、フレーム１１の収容室１２内に後方から挿入する。すると、収容室１２のフレームロック受け部１４はフレームロック部１５に押圧されて撓み変形する。さらにサブコネクタハウジング１３が押し込まれてフレームロック受け部１４がフレームロック部１５を乗り越えると、フレームロック受け部１４が復帰変形してフレームロック部１５の後面に後方から当接し、サブコネクタハウジング１３が収容室１２内の正規位置に保持される。
【００４１】
以上説明したように、本実施形態によれば、サブコネクタハウジング１３に上下２段並んで形成されたキャビティ１６のうち上段のキャビティ１６列は、下段のキャビティ１６列に比べてキャビティ１６が少なく形成されている。これによりサブコネクタハウジング１３にはキャビティ１６の設けられていない部分が形成される。この部分は、サブコネクタハウジング１３における最大幅寸法内に形成されると共に、キャビティ１６と同様に前後方向に延びて形成されている。このキャビティ１６が設けられていない部分にフレームロック部１５を設けることで、キャビティ１６を避けた状態で、サブコネクタハウジング１３の最大幅寸法内に容易にフレームロック部１５を設けることができる。また、上述したようにキャビティ１６が設けられてない部分は前後方向に延びて形成されているから、キャビティ１６の設けられていない部分のうちフレームロック部１５の後方に延設壁２９を設け、この延設壁２９を利用して本係止リテーナロック部を設けることで、キャビティ１６及びフレームロック部１５を避けて本係止リテーナロック部をサブコネクタハウジング１３の最大幅寸法内に配することができる。
【００４２】
そして、上記の延設壁２９を利用して、本係止リテーナロック部を形成することができるから、本係止リテーナロック部を別途設ける場合に比べて、分割コネクタを全体として小型化できる。
【００４３】
一般に、リテーナ２５とリテーナ収容部３０との間には、リテーナ２５の押し込みを円滑に行うために所定のクリアランス１７が設定されている。このため、リテーナ２５は、リテーナ収容部３０内で、全体として傾いた姿勢で装着されることが許容されている。この結果、本実施形態のように、本係止リテーナロック受け部４４がリテーナ２５の後端部にのみ形成されている場合には、リテーナ２５の前端縁がサブコネクタハウジング１３から離間する方向に浮き上がることが懸念される。すると、リテーナ２５が端子金具１９と係止するための係り代が減少してしまうため、端子保持力が低下することが懸念される。
【００４４】
上記の点に鑑み、本実施形態では、リテーナ２５の前端部に浮き上がり防止部３８を設け、サブコネクタハウジング１３に浮き上がり防止受け部３７を設ける構成としたから、リテーナ２５の前端部がサブコネクタハウジング１３から離間する方向に浮き上がることを防止できる。これにより、リテーナ２５の端子保持力の低下を防止できる。
【００４５】
＜他の実施形態＞
本発明は上記記述及び図面によって説明した実施形態に限定されるものではなく、例えば次のような実施形態も本発明の技術的範囲に含まれる。
【００４６】
（１）本実施形態では、誘導溝３１をリテーナ２５側に、係止突起３２をサブコネクタハウジング１３側にそれぞれ配したが、逆の配置としてもよい。
【００４８】
（３）本実施形態では、フレームロック部１５の後方にフレームロック受け部１４が形成される構成としたが、これに限られず、例えばフレームロック部１５をサブコネクタハウジング１３の後部に設け、フレームロック部１５の前方にフレームロック受け部１４が形成される構成としてもよい。
【００５０】
（５）本実施形態では、リテーナ２５は、斜め後方からリテーナ収容部３０内に押し込まれる構成としたが、これに限られず、端子金具１９の挿入方向に対して直行する方向からリテーナ収容部３０内に押し込まれる構成としてもよい。
【００５１】
（６）本実施形態では、リテーナ２５は上下２段に並んで形成される構成としたが、これに限られず、上下方向に３段以上並んで形成されてもよい。この場合、キャビティ１６の数を減らしたキャビティ１６列は、最上段に設けてもよく、最下段に設けてもよく、また、上下方向の中央部分に設けてもよい。
【００５２】
（７）本実施形態では、浮き上がり防止部３８は幅方向に４つ並んで形成される構成としたが、これに限られず、１つないし３つ、又は５つ以上形成する構成としてもよい。
【００５３】
（８）本実施形態では、浮き上がり防止部３８はリテーナ２５の前端縁から前方に突出する構成とし、浮き上がり防止受け部３７はサブコネクタハウジング１３に形成された貫通孔とする構成としたが、浮き上がり防止部３８はリテーナ２５の前端縁に形成された凹部とし、浮き上がり防止受け部３７はリテーナ収容部３０の前面側の開口縁から後方に突出する構成としてもよい。
【図面の簡単な説明】
【００５４】
【図１】本実施形態に係る分割コネクタにおいて、サブコネクタハウジングとリテーナとを示す正面図
【図２】サブコネクタハウジングとリテーナとを示す平面図
【図３】サブコネクタハウジングとリテーナとを示す側面図
【図４】サブコネクタハウジングとリテーナとを示す断面図
【図５】リテーナがサブコネクタハウジングに対して仮係止位置にある状態を示す側面図
【図６】リテーナがサブコネクタハウジングに対して仮係止位置にある状態において端子金具が挿入された状態を示す断面図
【図７】リテーナがサブコネクタハウジングに対して本係止位置にある状態を示す側面図
【図８】リテーナがサブコネクタハウジングに対して本係止位置にある状態において端子金具がリテーナにより保持された状態を示す側面図
【図９】リテーナが組み付けられたサブコネクタハウジングとフレームとを示す平面図
【図１０】リテーナが組み付けられたサブコネクタハウジングがフレームに組み付けられた状態を示す平断面図
【符号の説明】
【００５５】
１０…分割コネクタ
１１…フレーム
１２…収容室
１３…サブコネクタハウジング
１４…フレームロック受け部
１５…フレームロック部
１６…キャビティ
１７…ランス
１９…端子金具
２５…リテーナ
２９…延設壁
３０…リテーナ収容部
３１…誘導溝（本係止リテーナロック部）
３７…浮き上がり防止受け部
３８…浮き上がり防止部
４４…本係止リテーナロック受け部
【図１】
0004609284.tif 000002
【図２】
0004609284.tif 000003
【図３】
0004609284.tif 000004
【図４】
0004609284.tif 000005
【図５】
0004609284.tif 000006
【図６】
0004609284.tif 000007
【図７】
0004609284.tif 000008
【図８】
0004609284.tif 000009
【図９】
0004609284.tif 000010
【図１０】
0004609284.tif 000011